(57)【要約】【課題】充填空間内に収納された内容物を、胴体の全域にわたるしごき動作を行うことなしに効率的に注出できるチューブ容器を提案する。【解決手段】筒状の口頚部１ａを有するヘッド１と、該ヘッド１の下端に一体的につながり、その内側に内容物の充填空間Ｍを形成するとともに末端部を挟着、重合させて該充填空間を密封保持する胴体２と、該口頚部１ａに係合保持され、該口頚部１ａを通して該充填空間Ｍにつながる注出口を有する注出キャップ３とを備え、該胴体２のスクイズにて該充填空間Ｍ内の内容物を該口頚部１ａおよび該注出口を通して外界へ注出するチューブ容器において、前記末端部を、板状シール片２ａに成形してその板状シール片２またはその板状シール片２に貼着された薄肉シート７に少なくとも一つの窓孔４、６を設け、前記注出キャップ３の外周壁に、該板状シール片２ａの窓孔４または該薄肉シート７の窓孔６に連係させて該胴体２を二つ折り姿勢に保持するフック５を形成する。【選択図】図１
2015145261.tif 000002
【特許請求の範囲】
【請求項１】
筒状の口頚部を有するヘッドと、該ヘッドの下端に一体的につながり、その内側に内容物の充填空間を形成するとともに末端部を挟着、重合させて該充填空間を密封保持する胴体と、該口頚部に係合保持され、該口頚部を通して該充填空間につながる注出口を有する注出キャップとを備え、該胴体のスクイズにて該充填空間内の内容物を該口頚部および該注出口を通して外界へ注出するチューブ容器であって、
前記末端部を、板状シール片に成形してその板状シール片またはその板状シール片に貼着された薄肉シートに少なくとも一つの窓孔を設け、
前記注出キャップの外周壁に、該板状シール片の窓孔または該薄肉シートの窓孔に連係させて該胴体を二つ折り姿勢に保持するフックを形成したことを特徴とするチューブ容器。
【請求項２】
前記フックは、前記注出キャップの外周壁に沿って起立する板状片からなり、その下端は、該外周壁に一体連結した固定端であり、上端は、前記板状シール片の窓孔または前記薄肉シートの窓孔に差し入れて引掛ける自由端であることを特徴とする請求項１に記載したチューブ容器。
【請求項３】
前記板状片は、前記自由端の内壁面に、前記板状シール片または薄肉シートを抜け止め保持する爪部を有することを特徴とする請求項２に記載したチューブ容器。
【発明の詳細な説明】
【技術分野】
【０００１】
本発明は、胴体をスクイズすることによってヘッドに設けられた注出キャップの注出口を通して内容物を注出するチューブ容器に関するものである。
【背景技術】
【０００２】
練り歯磨き剤や調味料、化粧料、薬剤等を内容物として充填し、容器の胴体部分をスクイズすることによってヘッドに装着した注出キャップの注出口を通して内容物を注出するチューブ容器（スクイズ容器）は、円筒形からなる胴体の末端底部に設けられた開放端を通して内容物を充填したのち、該開放端を挟着、重合（熱シール法や超音波法等を適用する）しその部位に板状シール片を形成することによって内容物の充填空間を密封している。
【０００３】
通常、この種の容器は、充填空間内の内容物が減少してくると、充填空間内に残存する内容物をもれなく注出するために胴体部分を板状シール片から注出口に向けて扱き、内容物が存在している胴体部分を押圧して充填空間内の内容物を注出するのが普通であるが、このような扱き作業は、胴体部分の全域について、しかも、内容物を注出する度に行う必要があることから、内容物が注出しずらく、使い勝手がよいとはいえないものであった。
【０００４】
この点に関し、例えば、特許文献１には、細板状の一対の板材の夫々の一方端部同士をヒンジ連結し、一方の板材の他方端部に係止孔を開設すると共に、他方の板材の他方端部に、一方の板材の係止孔に嵌入係止する係止片を突設し、一対の板材間でチューブ容器の一部を挟持するしごき具が提案されている。
【先行技術文献】
【特許文献】
【０００５】
【特許文献１】登録実用新案第３０４６９９７号公報
【発明の概要】
【発明が解決しようとする課題】
【０００６】
ところで、上記従来のしごき具は、チューブ容器とは別途に製造される部材であり、部品点数の増加を伴うために製造コストの上昇が避けられない不具合を有している。また、このようなしごき具は、チューブ容器から簡単に取り外しできることから、内容物を使い切るまでの間に紛失してしまうことも懸念される。
【０００７】
本発明の課題は、余計な部材を使用したり、胴体の全域にわたる繰り返しの扱き作業を要することなしに、充填空間内の内容物の全てを、円滑かつ効率的に注出できるチューブ容器を提案するところにある。
【課題を解決するための手段】
【０００８】
本発明は、筒状の口頚部を有するヘッドと、該ヘッドの下端に一体的につながり、その内側に内容物の充填空間を形成するとともに末端部を挟着、重合させて該充填空間を密封保持する胴体と、該口頚部に係合保持され、該口頚部を通して該充填空間につながる注出口を有する注出キャップとを備え、該胴体のスクイズにて該充填空間内の内容物を該口頚部および該注出口を通して外界へ注出するチューブ容器であって、前記末端部を、板状シール片に成形してその板状シール片またはその板状シール片に貼着された薄肉シートに少なくとも一つの窓孔を設け、前記注出キャップの外周壁に、該板状シール片の窓孔または該薄肉シートの窓孔に連係させて該胴体を二つ折り姿勢に保持するフックを形成したことを特徴とするチューブ容器である。
【０００９】
上記の構成からなるチューブ容器においては、フックを、注出キャップの外周壁に沿って起立する板状片からなるものとし、その下端を、該外周壁に一体連結して固定端とし、上端を、板状シール片の窓孔または薄肉シートの窓孔に差し入れて引掛ける自由端とするのが好ましい。
【００１０】
また、板状片には、自由端の内壁面に、板状シール片または薄肉シートを抜け止め保持する爪部を設けることが望ましい。
【発明の効果】
【００１１】
本発明のチューブ容器によれば、板状シール片または薄肉シートを、窓孔を通して注出キャップの外周壁に設けたフックに連係させてチューブ容器の胴体を二つ折姿勢に保持するようにしたため、内容物の充填空間を減少させることが可能となり、扱き作業を別部材を用いて実施したり、胴体の全域にわたる扱き作業を要することなしに内容物のほぼ全てを効率的に注出することができる。とくに、通常のチューブ容器にあっては、充填空間内の内容物が減少していくと、保管時の載置姿勢（倒立置きした場合）は不安定なものとなるが、チューブ容器の胴体を二つ折り姿勢に保持することが可能な本発明のチューブ容器においては、全高さが低くなるので保管時の載置姿勢が安定しており（倒立置きした場合）、使い始めと変わらない使用性を確保し得る。また、本発明のチューブ容器は、胴部を折り畳んでフックに引っ掛けるものであるから容器の載置姿勢が安定化するだけでなく、扱き作業も必要ないので使い勝手がよい。
【００１２】
また、本発明のチューブ容器によれば、フックは、注出キャップに一体的に設けることができるため、部品点数が増加することがなく、構造の簡素化が可能となる。
【００１３】
さらに、本発明のチューブ容器によれば、板状片の自由端の内壁面に、板状シール片を抜け止め保持する爪部を設けるようにしたため、胴体の二つ折姿勢を安定的に保持し得る。
【図面の簡単な説明】
【００１４】
【図１】本発明に従うチューブ容器の実施の形態を模式的に示した図であり、（ａ）は正面図であり、（ｂ）は側面を断面で示した図（図１（ａ）のＡ-Ａ断面）である。
【図２】図１（ｂ）の要部を拡大して示した図である。
【図３】図２のＢ-Ｂ断面を示した図である。
【図４】本発明に従うチューブ容器の使用状態を示した図である。
【図５】本発明に従うチューブ容器の他の例を示した図である。
【発明を実施するための形態】
【００１５】
以下、本発明を図面を用いてより具体的に説明する。
図１（ａ）（ｂ）は、本発明に従うチューブ容器の実施の形態を模式的に示した図であり、（ａ）はその正面を示した図、（ｂ）は、その側面図を断面で示した図である。また、図２は、図１（ｂ）の要部を拡大して示した図であり、図３は、図２のＢ-Ｂ断面を示した図である。
【００１６】
図における符号１は、ポリエチレン樹脂やポリプロピレン樹脂等にて構成することができるヘッドである。このヘッド１は、内容物の注出経路を形成する筒状の口頚部１ａと、円錐台形状をなしその頂部を該口頚部１ａの下端に一体連結したヘッド本体１ｂから構成されている。口頚部１ａの外周壁には、後述する注出キャップを着脱自在に装着できるように、注出キャップのねじ部に係合可能なねじ部が設けられている。
【００１７】
また、２は、ヘッド１の下端に一体的につながり、その内側に内容物の充填空間Ｍを形成する筒状の胴体である。胴体２の末端部には、内容物を充填したのちにおいて該胴体２の壁部を相互に挟着、重合（熱融着等）して形成される板状シール片２ａが設けられている。
【００１８】
上記胴体２としては、例えば、ポリエチレン等の合成樹脂にて構成されたもの（合成樹脂の層を複数枚積層した積層体からなるものも含む）、あるいは、合成樹脂とアルミ箔等の金属製のシートとを積層した積層体にて構成されたもの（多層チューブ容器等）を用いることができる。なお、この胴体２は、金型を用いて上記合成樹脂や上記積層体を筒状に押し出す、押し出し成形法等を適用して成形される。
【００１９】
胴体２とヘッド１とは、例えば、ヘッド１の下端に設けられた段部において胴体２の上端縁部を重ね合わせ、その重ね合わせ部位を融着等の接合手段を適用することによって一体的に接合される（図示せず）。
【００２０】
また、３は、ヘッド１の口頚部１ａに係合保持される注出キャップである。この注出キャップ３は、口頚部１ａの周りを取り囲み該口頚部１ａの外周壁に設けられたねじ部に係合可能な内筒３ａと、この内筒３ａの周りを間隔をおいて取り囲む外筒３ｂと、内筒３ａおよび外筒３ｂの上端に一体連結する天板３ｃと、この天板３ｃの上面に設けられ、口頚部１ａを通して胴体２の充填空間Ｍにつながる、例えば、口頚部１ａに対して幾分延伸する注出口を形成する筒体３ｄと、天板３ｃの縁部にヒンジｈを介して回動可能に連結される蓋体３ｅから構成されている。
【００２１】
内筒３ａと外筒３ｂとは、例えば、対向配置になる一対の縦リブｒで一体連結することが可能であり、注出キャップ３を口頚部１ａに装着する際に、該縦リブｒの下端を、口頚部１ａの基部に設けられた突起１ｃに当接させることで注出キャップ３の口頚部１ａに対する位置決めを行うことができるようになっている。縦リブｒは、例えば、９０°間隔で４枚、あるいはそれ以上設けることも可能であり、その枚数については適宜変更することができる。
【００２２】
また、蓋体３ｅについては、天板３ｃの縁部の上端に当接可能な周壁３ｅ１と、この周壁３ｅ１の上端に一体連結してその内側に下向きに開放された凹所を形成する天面壁３ｅ２にて構成される。周壁３ｅ１の下端を該天板３ｃに当接させて蓋体３ｅを閉姿勢に保持したとき、ヒンジｈの対向位置（チューブ容器の正面側）において該周壁３ｅ１と天板３ｃとがアンダーカットの如き手段にて着脱自在に係合する。そして、その際、注出口を形成する筒体３ｄは天面壁３ｅ２の裏面に設けられた筒体３ｆと嵌合して注出口は密閉状態に保持される。蓋体３ｅを閉姿勢に保持する際、上記の筒体３ｄと筒体３ｆとはアンダーカットにより係合させて注出口を密閉状態に保持することも可能であり、この場合、周壁３ｅ１と天板３ｃとの、アンダーカットによる係合は省略してもよい。
【００２３】
なお、この例では、ヘッド１の口頚部１ａと注出キャップ３の内筒３ａとをねじ部を介して係合させる構造のものについて示したが、アンダーカットの如き手段によって着脱自在に係合させるようにしてもよく、ヘッド１と注出キャップ３との着脱構造については図示のものに限定されない。
【００２４】
また、４は、板状シール片２ａの幅方向中央部に設けられた窓孔、５は、ヒンジｈの直下で、注出キャップ３の外筒３ｂの外周壁に設けられたフックである。フック５は、注出キャップ３の外筒３ｂの外周壁に沿って起立するＬ字形状の板状片（弾性変形可能なものを適用してもよい）にて構成されており、その下端は外筒３ｂの外周壁下端部に一体連結した固定端となっている。また、その上端は、板状シール片２ａの窓孔４に差し入れて該板状シール片２ａを引掛けることができる自由端になっている。フック５の自由端の内壁面には、板状シール片２ａを抜け止め保持する爪部５ａが形成されている。フック５が弾性変形しにくい場合には、板状シール片２ａをフック５に連係させる際に、外筒３の壁面を局所的に弾性的に変形させてもよい。なお、フック５については、Ｌ字形状をなす板状片を例として示したが、本発明は、Ｌ字形状をなす板状片を必須とするものではなく、例えば突起状のものを適用することも可能であり、また、その個数も任意に設定し得る。
【００２５】
フック５は、ヘッド１の外縁部よりも外方へ突出することがないように、外筒３ｂの外周壁の一部分に該ヘッド１の径方向の内側に位置する平坦壁３ｂ１を形成し（図３参照）、この平坦壁３ｂ１にフック５を一体連結するのが好ましいが、本発明ではとくに図示のものに限定されることはない。
【００２６】
図４は、胴体２の充填空間Ｍ内に収納された内容物が大きく減少したところで、胴体２の下半分を扱いて充填空間Ｍ内の内容物を口頚部１ａ側に寄せ、板状シール片２ａの窓孔４にフック５に連係させて胴体２を二つ折り姿勢に保持した状態を示した図である。
【００２７】
チューブ容器の胴体２を２つ折り姿勢に保持した状態にあっては、胴体２の充填空間Ｍについてもほぼ半減することになることから、内容物の注出するに際して胴体２の全域を扱く必要はなくなり、内容物の効率的な注出が可能となる。この際、しごき具のような別部材を使用する必要もない。
【００２８】
さらに、本発明に従うチューブ容器としては、フック５に連係可能な窓孔６を有する図５に示す如き薄肉シート、例えば、ポップラベル７を、チューブ容器の胴体２の下端部、板状シール片２ａに貼着しておき、必要に応じて、窓孔６をフック５に連係させてチューブ容器の胴体２を二つ折り姿勢に保持してもよい。なおここに、ポップラベルとは、他の商品との差別化を高める宣伝広告用のラベルをいうが、とくに、チューブ容器の胴体２を二つ折り姿勢に保持する目的で使用される。
【００２９】
さらに、上掲図１に示した構成のものにあっては、フック５を板状シール片２ａに設け、窓孔４を注出キャップ３の外筒３ｂの外周壁に設けることもできる。
【００３０】
本発明に従うチューブ容器は、胴体２を二つ折り姿勢に保持した場合、チューブ容器自体がコンパクトにまとめることができるため、使用済みのチューブ容器を廃棄する際に、嵩張ることがない利点を有している。
【産業上の利用可能性】
【００３１】
本発明によれば、余計な部材を使用せず、しかも胴体の全域にわたる扱き作業を要することなしに充填空間内の内容物の注出を可能とするチューブ容器が提供できる。
【符号の説明】
【００３２】
１      ヘッド
１ａ    口頚部
１ｂ    ヘッド本体
１ｃ    突起
２      胴体
２ａ    板状シール片
３      注出キャップ
３ａ    内筒
３ｂ    外筒
３ｃ    天板
３ｄ    筒体
３ｅ    蓋体
３ｅ１  周壁
３ｅ２  天面壁
３ｆ    筒体
４      窓孔
５      フック
６      窓孔
７      薄肉シート（ポップラベル）
ｈ      ヒンジ
ｒ      縦リブ
【図１】
2015145261.tif 000003
【図２】
2015145261.tif 000004
【図３】
2015145261.tif 000005
【図４】
2015145261.tif 000006
【図５】
2015145261.tif 000007